(57)【要約】      （修正有）【課題】比較的簡素な構成で、簡便に画像表示ができるとともに手書き入力も可能な電気光学装置及び電子機器を提供する。【解決手段】一対の基板間に記憶性を有する電気光学物質層を備えた電気泳動表示装置であって、第１の表示部に属する走査線及びデータ線に対して、これらにそれぞれ接続する走査線駆動回路及びデータ線駆動回路を介して所定の電位を入力することにより、第１の表示部に属するトランジスタを個別に駆動し、容易且つ迅速に第１の表示部に所定の画像表示を行う。また、第２の表示部に属する走査線及びデータ線に対して、これらに接続された走査線駆動回路及びデータ線駆動回路を介して所定の電位を入力することにより、第２の表示部に属するトランジスタを個別に駆動し、第１の表示部同様、第２の表示部にも電子的な画像表示を行う。【選択図】図１
2011107250.tif 000002
【特許請求の範囲】
【請求項１】
一対の基板間に記憶性を有する電気光学物質層を備えた電気光学装置であって、
画像信号入力による画像表示の書き換えが可能な第１の表示部と、光入力による画像表示の書き換えが可能な第２の表示部と、が同一の前記基板上に形成されていることを特徴とする電気光学装置。
【請求項２】
前記第１の表示部には複数の第１の画素が配列され、
各々の前記第１の画素には、画素電極と、
前記画素電極にドレインが接続されたトランジスタと、が形成され、
また、前記複数の第１の画素を複数の第１の組に分け、該各組毎に、
前記トランジスタのゲートと接続されるとともに相互に接続され、走査線駆動回路に接続された複数の走査線と、
前記複数の第１の画素を複数の第２の組に分け、該各組毎に、
前記トランジスタのソースと接続されるとともに相互に接続され、データ線駆動回路に接続された複数のデータ線と、が形成され、
前記第２の表示部には複数の第２の画素が配列され、
各々の前記第２の画素には、画素電極と、
前記画素電極にドレインが接続されたトランジスタと、が形成され、
また、前記トランジスタのゲートと接続されるとともに相互に接続された走査線と、
前記トランジスタのソースと接続されるとともに相互に接続されたデータ線と、が形成されていることを特徴とする請求項１記載の電気光学装置。
【請求項３】
前記第１の表示部には複数の第１の画素が配列され、
各々の前記第１の画素には、画素電極と、
前記画素電極にドレインが接続されたトランジスタと、が形成され、
また、前記複数の第１の画素を複数の第１の組に分け、該各組毎に、
前記トランジスタのゲートと接続されるとともに相互に接続され、走査線駆動回路に接続された複数の走査線と、
前記複数の第１の画素を複数の第２の組に分け、該各組毎に、
前記トランジスタのソースと接続されるとともに相互に接続され、データ線駆動回路に接続された複数のデータ線と、が形成されている一方、前記第２の表示部には複数の第２の画素が配列され、
各々の前記第２の画素には、画素電極と、
前記画素電極にドレインが接続されたトランジスタと、が形成され、
また、前記複数の第２の画素を複数の第３の組に分け、該各組毎に、
前記トランジスタのゲートと接続されるとともに相互に接続され、走査線駆動回路に接続された複数の走査線と、
前記複数の第２の画素を複数の第４の組に分け、該各組毎に前記トランジスタのソースと接続されるとともに相互に接続され、データ線駆動回路に接続された複数のデータ線と、が形成されていることを特徴とする請求項１記載の電気光学装置。
【請求項４】
前記第１の表示部には複数の第１の画素が配列され、
各々の前記第１の画素には、画素電極と、
前記画素電極にドレインが接続されたトランジスタと、が形成され、
また、前記複数の第１の画素を複数の第１の組に分け、該各組毎に、
前記トランジスタのゲートと接続されるとともに相互に接続され、走査線駆動回路に接続された複数の走査線と、
前記複数の第１の画素を複数の第２の組に分け、該各組毎に、
前記トランジスタのソースと接続されるとともに相互に接続され、データ線駆動回路に接続された複数のデータ線と、が形成されている一方、前記第２の表示部には複数の第２の画素が配列され、
各々の前記第２の画素には、画素電極と、
前記画素電極に第１の端子を介して接続されたダイオードと、
前記ダイオードの第２の端子と接続されるとともに相互に接続された信号線が形成されていることを特徴とする請求項１記載の電気光学装置。
【請求項５】
平面的に区画された第１の領域と第２の領域とを備え、
前記第１の領域に前記第１の表示部に属する複数の前記第１の画素が配列される一方、前記第２の領域には前記第２の表示部に属する複数の前記第２の画素が配列されていることを特徴とする請求項１ないし４のいずれか一項に記載の電気光学装置。
【請求項６】
前記第１の画素と前記第２の画素とが前記走査線または前記データ線の延在方向に沿って交互に配置されていることを特徴とする請求項１ないし４のいずれか一項に記載の電気光学装置。
【請求項７】
請求項１ないし６のいずれか一項に記載の電気光学装置を備えたことを特徴とする電子機器。
【発明の詳細な説明】
【技術分野】
【０００１】
本発明は、電気光学装置及び電子機器に関するものである。
【背景技術】
【０００２】
従来から、メモリー性を有する変調媒体（コレステリック液晶や電気泳動分散液）を用いた光書き込み型表示装置が知られている。例えば下記特許文献１には、光書き込み型表示装置として、光照射により抵抗値が変化する可変抵抗層と、画像表示を行う表示媒体層との間に、分圧制御層を介して接続電極と駆動電極と解除電極とが積層された多層電極構造を形成することが開示されている。
【先行技術文献】
【特許文献】
【０００３】
【特許文献１】特開２００７−１７１２６０号公報
【発明の概要】
【発明が解決しようとする課題】
【０００４】
特許文献１記載の光書き込み型表示装置によれば、光を照射することなく表示領域に表示された画像の全面消去（リセット）が可能であった。しかしその一方で、多層構造の電極を画素ごとに形成するために構造が複雑になっていた。
【０００５】
本発明は、上記従来技術の問題点に鑑み成されたものであって、比較的簡素な構成で、簡便に画像表示ができるとともに手書き入力も可能な電気光学装置及び電子機器を提供することを目的の一つとする。
【課題を解決するための手段】
【０００６】
本発明の電気光学装置は、上記課題を解決するために、一対の基板間に記憶性を有する電気光学物質層を備えた電気光学装置であって、画像信号入力による画像表示の書き換えが可能な第１の表示部と、光入力による画像表示の書き換えが可能な第２の表示部と、が同一の前記基板上に形成されていることを特徴とする。
【０００７】
本発明によれば、画素スイッチング素子としてトランジスタを用いているため簡素な構造とすることができるとともに、各走査線にトランジスタをオン状態とする走査信号を入力するとともに、各データ線に電気光学物質層を所定の表示状態とする画像信号を入力することで、容易かつ迅速に第１の表示部の全体を所定の表示状態に移行させることができる。
しかも、本発明では、画像信号入力による電子的な画像表示の書き換えが可能な第１の表示部と、光入力による画像表示の書き換えが可能な第２の表示部と、が同一の基板上に形成されている構成とされているため、それぞれの形態で画像を表示させることができる。
例えば、第１の表示部に所定の画像を表示させながら、第２の表示部に光書き込みによる（手書き入力による）画像表示を行うことが可能である。したがって、比較的簡素な構成で簡便に画像表示ができるとともに、手書き入力も可能な電気光学装置となる。
【０００８】
また、前記第１の表示部には複数の第１の画素が配列され、各々の前記第１の画素には、画素電極と、前記画素電極にドレインが接続されたトランジスタとが形成され、また前記複数の第１の画素を複数の第１の組に分け、該各組毎に前記トランジスタのゲートと接続されるとともに相互に接続され、走査線駆動回路に接続された複数の走査線と、前記複数の第１の画素を複数の第２の組に分け、該各組毎に前記トランジスタのソースと接続されるとともに相互に接続され、データ線駆動回路に接続された複数のデータ線と、が形成され、前記第２の表示部には複数の第２の画素が配列され、各々の前記第２の画素には、画素電極と、前記画素電極にドレインが接続されたトランジスタとが形成され、また、前記トランジスタのゲートと接続されるとともに相互に接続された走査線と、前記トランジスタのソースと接続されるとともに相互に接続されたデータ線と、が形成されていることが好ましい。
【０００９】
本発明によれば、画素スイッチング素子としてトランジスタを用いているため簡素な構成とすることができるとともに、走査線駆動回路及びデータ線駆動回路を介して第１の表示部に属するトランジスタを個別に駆動することで、容易且つ迅速に第１の表示部に所定の画像表示を行うことができる。
また、第２の表示部に属するとともに、相互に接続された走査線及び相互に接続されたデータ線に所定の電位を入力することで、容易且つ迅速に第２の表示部の全体を同一の表示状態に移行させることができ、手書き入力が可能となる。
これにより、第１の表示部において電子的な画像表示が可能とされ、第２の表示部において手書き入力による表示が実現される。
【００１０】
また、前記第１の表示部には複数の第１の画素が配列され、各々の前記第１の画素には、画素電極と、前記画素電極にドレインが接続されたトランジスタとが形成され、また、前記複数の第１の画素を複数の第１の組に分け、該各組毎に、前記トランジスタのゲートと接続されるとともに相互に接続され、走査線駆動回路に接続された複数の走査線と、前記複数の第１の画素を複数の第２の組に分け、該各組毎に前記トランジスタのソースと接続されるとともに相互に接続されデータ線駆動回路に接続された複数のデータ線と、が形成されている一方、前記第２の表示部には複数の第２の画素が配列され、各々の前記第２の画素には、画素電極と、前記画素電極にドレインが接続されたトランジスタとが形成され、また、前記複数の第２の画素を複数の第３の組に分け、該各組毎に、前記トランジスタのゲートと接続されるとともに相互に接続され、走査線駆動回路に接続された複数の走査線と、前記複数の第２の画素を複数の第４の組に分け、該各組毎に前記トランジスタのソースと接続されるとともに相互に接続され、データ線駆動回路に接続された複数のデータ線と、が形成されていることが好ましい。
【００１１】
本発明によれば、画素スイッチング素子としてトランジスタを用いているため簡素な構成とすることができるとともに、第１の表示部において電子的な表示が実現され、第２の表示部において手書き入力による表示あるいは電子的な表示が実現される。
つまり、第１の表示部に属する走査線及びデータ線に対して、これらにそれぞれ接続する走査線駆動回路及びデータ線駆動回路を介して所定の電位を入力することにより、第１の表示部に属するトランジスタを個別に駆動でき、容易且つ迅速に第１の表示部に所定の画像表示を行うことができる。
また、第２の表示部に属する走査線及びデータ線に対して、これらに接続された走査線駆動回路及びデータ線駆動回路を介して所定の電位を入力することにより、第２の表示部に属するトランジスタを個別に駆動でき、第１の表示部同様、第２の表示部にも電子的な画像表示を行うことができる。勿論、走査線駆動回路及びデータ線駆動回路により第２の表示部の全体を同一の表示状態に移行させることも可能なため、第２の表示部において手書き入力が可能となる。
このように、第２の表示部に属する複数のトランジスタを個別に駆動させることができるので、手書き入力が可能な第２の表示部においても必要に応じて電子的な画像表示が可能となる。
【００１２】
また、前記第１の表示部には複数の第１の画素が配列され、各々の前記第１の画素には、画素電極と、前記画素電極にドレインが接続されたトランジスタとが形成され、また、前記複数の第１の画素を複数の第１の組に分け、該各組毎に前記トランジスタのゲートと接続されるとともに相互に接続され、走査線駆動回路に接続された複数の走査線と、前記複数の第１の画素を複数の第２の組に分け、該各組毎に前記トランジスタのソースと接続されるとともに相互に接続され、データ線駆動回路に接続された複数のデータ線と、が形成されている一方、前記第２の表示部には複数の第２の画素が配列され、各々の前記第２の画素には、画素電極と、前記画素電極に第１の端子を介して接続されたダイオードと、前記ダイオードの第２の端子と接続されるとともに相互に接続された信号線が形成されていることが好ましい。
【００１３】
本発明によれば、画素スイッチング素子としてダイオードを用いているため簡素な構成とすることができるとともに、相互に直接接続された信号線に所定の電位を入力することで、容易且つ迅速に第２の表示部の全体を同一の表示状態に移行させることができる。これにより、第２の表示部において手書き入力が可能となる。
【００１４】
また、平面的に区画された第１の領域と第２の領域とを備え、前記第１の領域に前記第１の表示部に属する複数の前記第１の画素が配列される一方、前記第２の領域には前記第２の表示部に属する複数の前記第２の画素が配列されていることが好ましい。
本発明によれば、第１の表域（第１の表示部）を画像表示領域として使用しつつ、第２の領域（第２の表示部）に手書き入力等が可能な領域として使用することが可能となる。
【００１５】
また、前記第１の画素と前記第２の画素とが前記走査線または前記データ線の延在方向に沿って交互に配置されていることが好ましい。
本発明によれば、第１の表示部に属する画素と、第２の表示部に属する画素とを混在させた表示部となるので、例えば、第１の表示部に属する画素によって所望の画像を表示させ、第２の表示部に属する画素によって手書き入力等による上書き機能を実現することができる。
【００１６】
本発明の電子機器は、先に記載の電気光学装置を備えたことを特徴とする。
本発明によれば、機能性及び製造性に優れた電気光学装置からなる表示手段を備えた電子機器を提供することができる。
【図面の簡単な説明】
【００１７】
【図１】第１実施形態に係る電気泳動表示装置の回路構成図。
【図２】第１実施形態に係る第１の表示部および第２の表示部に属する各画素の構成図。
【図３】同、電気泳動表示装置の平面図、断面図、マイクロカプセルの断面図。
【図４】１画素における素子基板の平面図及び断面図。
【図５】電気泳動素子の動作説明図。
【図６】第１実施形態に係る駆動方法を示すフローチャート。
【図７】第１実施形態に係る駆動方法（光書き込み）を示すタイミングチャート。
【図８】第１実施形態に係る駆動方法（光書き込み）の説明対象とした２画素を示す図。
【図９】第１実施形態に係る駆動方法（光書き込み）の説明対象とした２画素を示す図。
【図１０】第１実施形態に係る電気泳動表示装置の平面図及び動作説明図。
【図１１】画素回路の変形例を示す図。
【図１２】第２実施形態に係る電気泳動表示装置の回路構成図。
【図１３】第２実施形態の電気泳動表示装置の平面図及び動作説明図。
【図１４】第３実施形態に係る電気泳動表示装置の回路構成図。
【図１５】第４実施形態に係る電気泳動表示装置の回路構成図。
【図１６】第２の表示部における他の回路構成図。
【図１７】第２の表示部における他の回路構成図。
【図１８】電子機器の一例を示す図。
【図１９】電子機器の一例を示す図。
【発明を実施するための形態】
【００１８】
以下、図面を用いて本発明の電気光学装置について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１９】
（第１の実施形態）
図１は、本発明の電気光学装置の第１の実施形態である電気泳動表示装置の回路構成図である。図２（ａ）は、第１の表示部における画素の構成を示す図であり、図２（ｂ）は、第２の表示部における画素の構成を示す図である。
図１に示すように電気泳動表示装置（電気光学装置）１００は、複数の画素（第１の画素）４０、画素（第２の画素）３４０をそれぞれマトリクス状に配列してなる表示部５を備えている。本実施形態の表示部５は、複数の画素４０が配列された電子的表示型の第１の表示部５Ａと、複数の画素３４０が配列された光書き込み表示型の第２の表示部５Ｂとを有して構成されている。
【００２０】
第１の表示部５Ａには、ｍ１本の走査線６６（Ｙ１、Ｙ２、…、Ｙｍ１）とｎ１本のデータ線６８（Ｘ１、Ｘ２、…、Ｘｎ１）が互いに交差する方向に延びており、走査線６６とデータ線６８との交差位置に対応して画素４０が設けられている。
第２の表示部５Ｂには、ｍ２本の走査線７６（Ｙ１、Ｙ２、…、Ｙｍ２）とｎ２本のデータ線７８（Ｘ１、Ｘ２、…、Ｘｎ２）とが互いに交差する方向に延びており、走査線７６とデータ線７８との交差位置に対応して画素３４０が設けられている。
【００２１】
第１の表示部５Ａ（表示部５）の周辺には、第１の表示部５Ａから延出された複数の走査線６６に接続する走査線駆動回路１６と、第１の表示部５Ａから延出された複数のデータ線６８に接続するデータ線駆動回路１７とが設けられている。そして、走査線駆動回路１６は、上記複数の走査線６６を介して画素４０に接続され、データ線駆動回路１７は、上記複数のデータ線６８を介して画素４０に接続されている。
【００２２】
図２（ａ）に示すように、第１の表示部５Ａの各画素４０には、選択トランジスタ４１と、画素電極３５と、電気泳動表示素子３２（電気光学物質層）と、共通電極３７と、保持容量３９とが設けられている。
保持容量３９の一方の電極は選択トランジスタ４１に接続され、他方の電極は容量線Ｃに接続されている。この保持容量３９によって、選択トランジスタ４１を介して書き込まれた画像信号を第１の表示部５Ａに一定期間だけ維持することが可能となっている。
この画素回路においては、走査線６６が選択されると選択トランジスタ４１がオン状態となり、データ線６８上の電圧に保持容量を充電する。走査線６６が非選択となると選択トランジスタ４１はオフ状態となるが、保持容量に蓄えられたエネルギーで電気泳動表示素子３２の荷電粒子を移動させる。
【００２３】
第２の表示部５Ｂ（表示部５）の周辺には、第２の表示部５Ｂから延出された複数の走査線７６の端部同士を接続する接続配線７６ａと、第２の表示部５Ｂから延出された複数のデータ線７８の端部同士を接続する接続配線７８ａと、接続端子６，７，８とが形成されている。接続端子６は接続配線７６ａと接続され、接続配線７６ａを介して表示部５の全ての走査線７６と接続されている。また、接続端子８は接続配線７８ａと接続され、接続配線７８ａを介して第２の表示部５Ｂの全てのデータ線７８と接続されている。接続端子７は、複数の画素３４０に共通の電極として形成された共通電極３７と接続されている。
【００２４】
図２（ｂ）に示すように、第２の表示部５Ｂの各画素３４０には、選択トランジスタ４１と、画素電極３５と、電気泳動表示素子３２（電気光学物質層）と、共通電極３７とがそれぞれ設けられている。なお、図示しないが画素電極３５と容量線Ｃの間に保持容量を設けても良い。
【００２５】
選択トランジスタ４１は、例えばＮＭＯＳ（Negative Metal Oxide Semiconductor）−ＴＦＴ（Thin Film Transistor）からなる画素スイッチング素子である。選択トランジスタ４１のゲート端子は走査線６６（７６）に接続され、ソース端子はデータ線６８（７８）に接続され、ドレイン端子は画素電極３５に接続されている。
即ち、第１の表示部５Ａの画素４０を形成する選択トランジスタ４１のゲートは行毎の組単位で各走査線６６と接続し、走査線駆動回路１６と接続する。そして、第１の表示部５Ａの画素４０を形成する選択トランジスタ４１のソースは列毎の組単位で各データ線６８と接続し、データ線駆動回路１７と接続する。
【００２６】
次に、図３（ａ）は、電気泳動表示装置１００の平面図であり、図３（ｂ）は、表示部５における電気泳動表示装置１００の部分断面図である。
図３（ａ）に示すように、素子基板３０と対向基板３１とが平面視で重なる領域に表示部５が形成されており、素子基板３０の右辺に走査線駆動回路１６が実装され、表示部５から延出された複数の走査線６６と各々電気接続してある。同様に素子基板３０の上辺にデータ線駆動回路１７が実装され、複数のデータ線６８と各々電気接続してある。接続端子６，８の間に形成された接続端子７は、素子基板３０上に形成された接続配線６７、及び素子基板３０と対向基板３１とを電気的に接続する基板間接続部９を介して、共通電極３７と接続されている。
【００２７】
電気泳動表示装置１００は、コントローラー３６３（制御部）からの電源や制御信号線によって動作し、図では矢印を伴った線で概略的な配線接続を示すが、接続端子６〜８、走査線駆動回路１６及びデータ線駆動回路１７に接続されている。
【００２８】
これにより、コントローラー３６３は、表示部５に属する複数の画素４０を走査線駆動回路１６及びデータ線駆動回路１７を介した電位入力により制御するとともに、複数の画素３４０を接続端子６，８を介した電位入力により制御することができる。
【００２９】
図３（ｂ）に示すように、電気泳動表示装置１００は、素子基板（基板）３０と対向基板（基板）３１との間に、複数のマイクロカプセル２０を配列してなる電気泳動表示素子３２を挟持した構成を備えている。
表示部５において、素子基板３０の電気泳動表示素子３２側には、走査線６６，７６、データ線６８，７８、選択トランジスタ４１などが形成された回路層３４が設けられており、回路層３４上に複数の画素電極３５が配列形成されている。
【００３０】
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動表示素子３２に電圧を印加する電極である。
【００３１】
ここで図４（ａ）は、１つの画素３４０における素子基板３０の平面図であり、図４（ｂ）は、図４（ａ）のＡ−Ａ’線に沿う位置における断面図である。
図４（ａ）に示すように、選択トランジスタ４１は、平面視略矩形状の半導体層４１ａと、データ線７８から延出されたソース電極４１ｃと、半導体層４１ａと画素電極３５とを接続するドレイン電極４１ｄと、走査線７６から延出されたゲート電極４１ｅと、を有する。
【００３２】
図４（ｂ）に示す断面構造を見ると、素子基板３０上に、ＡｌやＡｌ合金からなるゲート電極４１ｅ（走査線７６）が形成されており、ゲート電極４１ｅを覆ってシリコン酸化物やシリコン窒化物からなるゲート絶縁膜４１ｂが形成されている。ゲート絶縁膜４１ｂを介してゲート電極４１ｅと対向する領域にアモルファスシリコンやポリシリコンからなる半導体層４１ａが形成されている。半導体層４１ａに一部乗り上げるようにして、ＡｌやＡｌ合金からなるソース電極４１ｃとドレイン電極４１ｄとが形成されている。ソース電極４１ｃ（データ線７８）、ドレイン電極４１ｄ、半導体層４１ａ、ゲート絶縁膜４１ｂを覆ってシリコン酸化物やシリコン窒化物からなる層間絶縁膜３４ａが形成されている。層間絶縁膜３４ａ上に画素電極３５が形成されている。層間絶縁膜３４ａを貫通しドレイン電極４１ｄに達するコンタクトホール３４ｂを介して画素電極３５とドレイン電極４１ｄとが接続されている。
なお、画素４０は、画素３４０に保持容量３９を追加した構成とすればよい。
【００３３】
本実施形態の電気泳動表示装置１００において、走査線６６の本数ｍ１及びデータ線６８の本数ｎ１、並びに、走査線７６の本数ｍ２及びデータ線７８の本数ｎ２は任意の自然数に設定することができる。すなわち、第１の表示部５Ａ及び第２の表示部５Ｂは、それぞれ任意の個数の画素４０、３４０により構成することができる。
また、第１の表示部５Ａと第２の表示部５Ｂとで画素４０、３４０の精細度が異なっていてもよい。例えば、第１の表示部５Ａを文字や画像の表示に適した精細度（例えば３００〜６００ｐｐｉ程度）とし、第２の表示部５Ｂを手書き入力に適した精細度（例えば５０〜１００ｐｐｉ程度）としてもよい。
さらに、第１の表示部５Ａ及び第２の表示部５Ｂの外形状は矩形状に限られるものではなく、三角形状、五角形以上の多角形状、円形又は楕円形状など、任意の平面形状とすることができる。
【００３４】
図３（ｂ）に戻り、対向基板３１の電気泳動表示素子３２側には、複数の画素電極３５と対向する平面形状の共通電極３７が形成されており、共通電極３７上に電気泳動表示素子３２が設けられている。
対向基板３１はガラスやプラスチック等からなる基板であり、画像表示側に配置されるため透明基板とされる。共通電極３７は、画素電極３５とともに電気泳動表示素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動表示素子３２と画素電極３５とが、接着剤層３３を介して接着されることで、素子基板３０と対向基板３１とが接合されている。
【００３５】
なお、電気泳動表示素子３２は、あらかじめ対向基板３１側に形成され、接着剤層３３までを含めた電気泳動シートとして取り扱われるのが一般的である。製造工程において、電気泳動シートは接着剤層３３の表面に保護用の離型シートが貼り付けられた状態で取り扱われる。そして、別途製造された素子基板３０（画素電極３５や各種回路などが形成されている）に対して、離型シートを剥がした当該電気泳動シートを貼り付けることによって、表示部５を形成する。このため、接着剤層３３は画素電極３５側のみに存在することになる。
【００３６】
図３（ｃ）は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３（ｂ）に示すように共通電極３７と画素電極３５とに挟持され、１つの画素４０，３４０内に１つ又は複数のマイクロカプセル２０が配置される。１つのマイクロカプセル２０が複数の画素４０，３４０にわたって配置される構成としてもよい。
【００３７】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３８】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００３９】
図５は、電気泳動素子の動作説明図である。図５（ａ）は、画素４０，３４０を白表示する場合、図５（ｂ）は、画素４０，３４０を黒表示する場合をそれぞれ示している。
図５（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図５（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
なお、図５は、黒粒子が正に、白粒子が負に帯電している場合の動作説明図であるが、必要に応じて、黒粒子を負に、白粒子を正に帯電させてもよい。この場合、上記と同様に電位を供給すると、白表示と黒表示とを反転した表示が得られる。
【００４０】
［駆動方法］
次に、本実施形態の電気泳動表示装置の駆動方法について、図６から図８を参照して説明する。
図６は、電気泳動表示装置１００の駆動方法の一例を示すフローチャートである。
本実施形態の電気泳動表示装置１００の駆動方法は、図６に示すように、第１の画像消去ステップＳ１０１と、第１の画像信号入力ステップＳ１０２と、第１の画像保持ステップＳ１０３と、第２の画像消去ステップＳ１０４と、第２の画像書込ステップＳ１０５と、第２の画像保持ステップＳ１０６と、を含む。
【００４１】
ここで、第１の画像消去ステップＳ１０１から第１の画像保持ステップＳ１０３では、表示部５における第１の表示部５Ａの複数の画素４０の配列に対して、所望の画像の書き込みが成される。
【００４２】
具体的に、第１の画像消去ステップＳ１０１から第１の画像保持ステップＳ１０３では、第１の表示部５Ａに対して、例えば、図１０（ａ）に示すような文字情報ＴＸＴの書き込みが成される。
【００４３】
ここで、第１の画像消去ステップＳ１０１以前の表示部５では、走査線駆動回路１６およびデータ線駆動回路１７には電圧が印加されていないため、画素電極３５及び共通電極３７はいずれも電気的に切断されたハイインピーダンス状態（Ｈｉ−Ｚ）であり、各々の画素４０は黒表示あるいは白表示あるいは階調表示したままの状態となっている。即ち、無電力で表示が記憶されている。
【００４４】
第１の画像消去ステップＳ１０１では、コントローラー３６３から走査線駆動回路１６を介して、第１の表示部５Ａの全ての走査線６６に、選択トランジスタ４１をオン状態とするハイレベルの電位が入力され、データ線駆動回路１７を介して全てのデータ線６８に、電気泳動表示素子３２を白表示させるためのローレベル電位ＶＬ（例えば−１０Ｖ）が入力される。また、不図示の共通電極配線を介して共通電極３７にグランド電位ＧＮＤ（０Ｖ）が入力される。これにより、第１の表示部５Ａの全ての画素４０が白表示され、消去状態となる。
【００４５】
なお、第１の画像消去ステップＳ１０１では、表示部５の全ての画素４０を単一の階調に移行させることができればよく、かかる目的を達成できる範囲で具体的な駆動方法を変更することができる。例えば、上記では共通電極３７の電位Ｖcomをグランド電位ＧＮＤ（０Ｖ）としたが、ハイレベル電位ＶＨ（例えば１０Ｖ）としてもよい。
【００４６】
次に、第１の画像信号入力ステップＳ１０２では、第１の表示部５Ａの各画素４０に属する画素電極３５と共通電極３７とにそれぞれ所定の電位を入力することで、電気泳動表示素子３２（マイクロカプセル２０）に駆動電圧を印加する。具体的には、各走査線６６に選択信号（例えば４０Ｖのハイレベル）を順次、一定期間入力する。これにより、選択された走査線６６を介して選択トランジスタ４１がオンされ、データ線６８から各画素４０に画像データ電圧が入力され、画素４０内の保持容量３９がこの電圧で充電され、この静電エネルギーに応じた階調表示がなされる。このようにして、第１の表示部５Ａに所定の画像が書き込まれる。
【００４７】
なお、本実施形態では、第１の画像信号入力ステップＳ１０２において共通電極３７の電位Ｖcomをグランド電位ＧＮＤに保持することとしているが、ローレベル電位ＶＬ（例えば−１０Ｖ）に保持してもよい。
【００４８】
次に、第１の画像保持ステップＳ１０３に移行すると、コントローラー３６３からデータ線駆動回路１７を介して、データ線６８（電位Ｖｓ）にグランド電位ＧＮＤが入力され、不図示の共通電極配線を介して共通電極３７（電位Ｖcom）にグランド電位ＧＮＤが入力される。これにより、以降の画素４０の表示状態の変更が防止され、表示画像が保持される。
【００４９】
なお、第１の画像保持ステップＳ１０３において、データ線６８と共通電極３７とは必ずしも同電位とされなくてもよい。具体的には、データ線６８の電位Ｖｓと共通電極３７の電位Ｖcomとの電位差が、電気泳動表示素子３２のしきい値電圧以下となるように電位Ｖｓ、Ｖcomが設定されていればよい。ここで、明確なしきい値電圧が無い場合もあるが実質的に光学特性に影響を及ぼさない電圧に設定すればよい。
【００５０】
以上により、第１の表示部５Ａに文字情報ＴＸＴが表示されたならば、光ペンによる手書き入力モードに移行する。かかる手書き入力モードでは、第２の画像消去ステップＳ１０４〜第２の画像保持ステップＳ１０６が繰り返して実行される。
なお、手書き入力モード（ステップＳ１０４〜Ｓ１０６）において、第１の表示部５Ａは、上記した第１の画像保持ステップＳ１０３の電位状態を保持しており、第１の表示部５Ａの表示画像は変化しない。
【００５１】
図７は、手書き入力モードに対応するタイミングチャートであって、画素３４０を黒表示させる(画素３４０Ａとする。)場合と、白表示のままとする(画素３４０Ｂとする)。場合のダイミングチャートが示されている。図８及び図９は、本実施形態の光書き込み入力方法の各ステップにおける２つの画素の電位状態を示す説明図である。
【００５２】
図７には、接続端子６を介して入力される走査線７６の電位Ｖｇと、接続端子８を介して入力されるデータ線７８の電位Ｖｓと、接続端子７を介して入力される共通電極３７の電位Ｖcomと、画素３４０Ａに属する画素電極３５Ａの電位Ｖａと、画素３４０Ｂに属する画素電極３５Ｂの電位Ｖｂと、が示されている。
なお、図８及び図９において、各符号の「Ａ」「Ｂ」の添字は、説明の対象とした２つの画素３４０（３４０Ａ、３４０Ｂ）と、それらに属する構成要素を明確に区別するために付したものであって他意はない。
【００５３】
まず、第２の画像消去ステップＳ１０４では、コントローラー３６３から接続端子６を介して、第２の表示部５Ｂの全ての走査線７６に、選択トランジスタ４１をオン状態とするハイレベルの電位が入力され、接続端子８を介して全てのデータ線７８に、電気泳動表示素子３２を白表示させるためのローレベル電位ＶＬ（例えば−１０Ｖ）が入力される。また、接続端子７を介して共通電極３７にグランド電位ＧＮＤ（０Ｖ）が入力される。これにより、第２の表示部５Ｂの全面が白表示され、消去状態となる。
【００５４】
次に、第２の画像書込ステップＳ１０５では、図１０（ｂ）に示すように、電気泳動表示装置１００の第２の表示部５Ｂに光ペン２５０による手書き入力が成される。
第２の画像書込ステップＳ１０５では、コントローラー３６３から接続端子６、８を介して、走査線７６に選択トランジスタ４１をオフ状態とするローレベルの電位が入力され、データ線７８にハイレベル電位ＶＨ（例えば１０Ｖ）が入力される。また、接続端子７を介して共通電極３７（電位Ｖcom）にグランド電位ＧＮＤ（０Ｖ）が入力される。これにより、第２の表示部５Ｂが画像書き込み可能な状態とされる。
【００５５】
そして、上記の電圧印加状態に保持された第２の表示部５Ｂに対して、図１０（ｂ）に示すように光ペン２５０を接近させると、光ペン２５０の光ＬＴを照射された画素３４０において選択トランジスタ４１にリーク電流が生じ、画素電極３５の電位が上昇する。その結果、光を照射された画素３４０が選択的に黒表示に移行され、第２の表示部５Ｂに黒色マークが記入される。
【００５６】
その後、第２の画像保持ステップＳ１０６に移行すると、図１０（ｂ）及び図８に示すように、コントローラー３６３から接続端子８を介してデータ線７８にグランド電位ＧＮＤが入力され、接続端子７を介して共通電極３７にグランド電位ＧＮＤが入力される。このようにデータ線７８と共通電極３７とが同電位とされることで、第２の表示部５Ｂの画素３４０に光が照射されたときに誤書き込みがなされるのを防止することができる。すなわち、第２の画像保持ステップＳ１０６において画素３４０に光が照射され選択トランジスタ４１に光リークが生じたとしても、光が照射された画素３４０に属する画素電極３５の電位はグランド電位ＧＮＤになるため、同じくグランド電位ＧＮＤに保持された共通電極３７との間に電位差は生じず、電気泳動表示素子３２の表示状態が変化することはない。
このようにして、第２の表示部５Ｂの表示状態の変化が防止され、記入された黒色マークが保持される。
【００５７】
以上、詳細に説明したように、本実施形態の電気泳動表示装置１００によれば、画像信号入力による電子的な表示が可能な第１の表示部５Ａと光書き込みによる表示が可能な第２の表示部５Ｂとを有する表示部５により、電子的な表示と光書き込みによる表示とが同一の表示パネルで実現される。第１の表示部５Ａと第２の表示部５Ｂとは互いに独立して動作させることが可能なため、第１の表示部５Ａの表示状態を固定しつつ、第２の表示部５Ｂのみを画像書き込み可能な状態とすることができる。
【００５８】
つまり、走査線駆動回路１６及びデータ線駆動回路１７を介して第１の表示部５Ａに属する選択トランジスタ４１を個別に駆動することで、容易且つ迅速に第１の表示部５Ａに所定の画像表示を行うことができる。また、第２の表示部５Ｂに属するとともに、相互に接続された走査線７６及び相互に接続されたデータ線７８に所定の電位を入力することで、容易且つ迅速に第２の表示部５Ｂの全体を同一の表示状態に移行させることができ、手書き入力が可能となる。
【００５９】
これにより、例えば、横書きの文字情報を電子的に第１の表示部５Ａに表示させておき、その後、光ペン２５０等で行頭部分（第２の表示部５Ｂ）にチェック記号等を加筆するような用途に好適に用いることができる。したがって、比較的簡素な構成で簡便に画像表示ができるとともに、手書き入力も可能な電気泳動表示装置１００となる。
【００６０】
また、第１の表示部５Ａと第２の表示部５Ｂとが同一のパネルに設けられていることから、各表示部５Ａ，５Ｂに設けられる選択トランジスタ４１、画素電極３５、走査線６６，７６及びデータ線６８，７８等を同一の製造工程において形成することが可能となる。
【００６１】
なお、本実施形態の電気泳動表示装置１００において、光ペン２５０が電気泳動表示装置３００に接触又は接近したかどうかを判断する機構を設けてもよい。これにより、必要なときに光ペン２５０で書き込みを行うことができるとともに、外光等の入射による誤動作（意図しない書き込み）を防止することができる。
【００６２】
また、図１０（ａ）に示す第２の表示部５Ｂは、第１の表示部５Ａに表示された文字情報ＴＸＴの行頭（図示左側）だけでなく、行末（図示右側）に設けてもよい。さらに、第１の表示部５Ａにおける文字情報ＴＸＴの列方向（行方向と直交する方向）の一方の辺部（上辺部）や、他方の辺部（下辺部）に設けてもよい。
【００６３】
なお、本実施形態の電気泳動表示装置１００において、第１の表示部５Ａにおける各画素４０の画素回路の構成は上述したものに限らない。
例えば、図１１に示すように、選択トランジスタ４１Ａと、駆動トランジスタ４１Ｂと、画素電極３５と、電気泳動表示素子３２と、共通電極３７と、保持容量３９とを備え、保持容量３９と駆動トランジスタ４１Ｂとが、走査線６６と同様に行単位で形成された電源線Ｅに接続された構成であってもよい。
【００６４】
図１１において、走査線６６からの制御信号に基づいて選択トランジスタ４１Ａをオン状態とし、データ線６８からのデータ信号の電位を保持容量３９に保持させる。駆動トランジスタ４１Ｂは、保持容量３９に保持されたデータ信号の電位に応じて電源線Ｅから電気泳動表示素子３２に駆動電流を供給する。走査線６６が非選択となっても、保持容量３９により電気泳動表示素子３２に所定の電流が供給され続ける。
したがって、所定の時間で選択トランジスタ４１Ａを再選択して保持容量３９の電圧を０にすれば、電気泳動表示素子３２への電力の供給がなくなるので階調表示が可能となる。
【００６５】
このように、走査線６６を順次選択して、選択した行の選択トランジスタ４１Ａをオン状態にし、保持容量３９をデータ線６８に印加している電圧まで充電することで、電気泳動表示素子３２内の荷電粒子を移動させ、第１の表示部５Ａにおいて電子的に表示を行うことができる。
【００６６】
（第２の実施形態）
次に、本発明の第２の実施形態について、図１２及び図１３を参照して説明する。
図１２は、第２実施形態に係る電気泳動表示装置の回路構成図であり、図１３は、第２実施形態に係る電気泳動表示装置の作用説明図である。
なお、以下で参照する各図において、先の実施形態と共通の構成要素には同一の符号を付し、それらの詳細な説明は省略する。
【００６７】
図１２に示すように、本実施形態の電気泳動表示装置２００は、複数の画素４０と複数の画素３４０とが交互に配列された表示部１５０を備えている。
表示部１５０には、複数の走査線６６と、複数のデータ線６８とが形成されており、走査線６６とデータ線６８との交差部に対応して画素４０が設けられている。全ての走査線６６は走査線駆動回路１６に接続され、全てのデータ線６８はデータ線駆動回路１７に接続されている。なお、図を簡素化する為に、保持容量３９の図示は省略してある。
【００６８】
また、複数の走査線７６と、複数のデータ線７８とが形成されており、走査線７６とデータ線７８との交差部に対応して画素３４０が形成されている。全ての走査線７６は接続配線７６ａを介して接続端子６に接続されており、全てのデータ線７８は接続配線７８ａを介して接続端子８に接続されている。
画素４０、３４０は、いずれも、選択トランジスタ４１と、画素電極３５と、電気泳動表示素子３２と、共通電極３７とを備えて構成されている。
【００６９】
そして、本実施形態の場合、表示部１５０において、画素４０と画素３４０とが行方向（走査線６６、７６の延在方向）及び列方向（データ線６８、７８の延在方向）において相互に隣り合うように交互に配置されている。すなわち本実施形態の電気泳動表示装置１００は、第１実施形態に係る第１の表示部５Ａの画素４０と、第２の表示部５Ｂの画素３４０とを市松状に混在させて配置した構成を備えている。
【００７０】
図１３（ａ）は、電気泳動表示装置２００の概略構成を示す平面図である。
電気泳動表示装置２００は、素子基板２３０と、対向基板３１とを備えており、素子基板２３０と対向基板３１とが平面視で重なる領域に表示部１５０が形成されている。素子基板２３０の対向基板３１よりも張り出した領域に、コントローラー３６３（制御部）が実装されている。コントローラー３６３は図示しない配線を介して図１２に示した接続端子６〜８及び走査線駆動回路１６、データ線駆動回路１７と接続されている。
【００７１】
素子基板２３０は、画素４０と画素３４０の配列以外は、第１実施形態に係る素子基板３０と同様の構成である。コントローラー３６３は、接続端子６〜８及び走査線駆動回路１６、データ線駆動回路１７に所定の電位を供給可能に構成されており、表示部１５０に属する複数の画素４０を接続端子６，８を介した電位入力により制御するとともに、複数の画素３４０を走査線駆動回路１６、データ線駆動回路１７を介した電位入力により制御することができる。
【００７２】
［駆動方法］
次に、本実施形態の電気泳動表示装置２００の駆動方法について説明する。
本実施形態の電気泳動表示装置２００の駆動方法には、第１実施形態の図６に示したフローチャートを適用することができる。
【００７３】
本実施形態における第１の画像消去ステップＳ１０１から第１の画像保持ステップＳ１０３では、表示部１５０の複数の画素４０の配列に対して、所望の画像の書き込みが成される。
まず、第１の画像消去ステップＳ１０１では、コントローラー３６３から、走査線駆動回路１６を介して走査線６６に選択トランジスタ４１をオン状態とするハイレベルの電位が入力され、データ線駆動回路１７を介してデータ線６８にローレベル電位ＶＬが入力される。これにより、表示部１５０の全ての画素４０が白表示され、消去状態となる。
【００７４】
次に、第１の画像信号入力ステップＳ１０２では、表示部１５０の各画素４０に属する画素電極３５と共通電極３７とにそれぞれ所定の電位を入力することで、電気泳動表示素子３２（μカプセル２０）に駆動電圧を印加する。具体的には、走査線６６に選択信号（４０Ｖのハイレベル）を一定期間入力する。これにより、走査線６６を介して選択トランジスタ４１がオンされ、データ線６８から各画素４０に画像データが入力され、各画素４０は入力された画像データを記憶する。このようにして、表示部１５０に所定の画像が書き込まれる。
【００７５】
次に、第１の画像保持ステップＳ１０３に移行すると、コントローラー３６３からデータ線駆動回路１７を介して、データ線６８（電位Ｖｓ）にグランド電位ＧＮＤが入力され、不図示の共通電極配線を介して共通電極３７（電位Ｖcom）にグランド電位ＧＮＤが入力される。これにより、以降の画素４０の表示状態の変更が防止され、表示画像が保持される。
【００７６】
以上により、表示部１５０に所定の画像が表示されたならば、光ペンによる手書き入力モードに移行する。かかる手書き入力モードにおいて、各画素４０は、上記した第１の画像保持ステップＳ１０３の電位状態を保持しており、表示画像は変化しない。
【００７７】
そして、第２の画像消去ステップＳ１０４では、コントローラー３６３から接続端子６を介して走査線７６に、選択トランジスタ４１をオン状態とするハイレベルの電位が入力され、接続端子８を介してデータ線７８に、電気泳動表示素子３２を白表示させるためのローレベル電位ＶＬ（例えば−１０Ｖ）が入力される。また、接続端子７を介して共通電極３７にグランド電位ＧＮＤ（０Ｖ）が入力される。これにより、表示部１５０の全ての画素３４０が白表示され、消去状態となる。
【００７８】
次に、第２の画像書込ステップＳ１０５では、図１３（ｂ）に示すように、電気泳動表示装置２００の表示部１５０のうち画素３４０からなる領域に光ペン２５０による手書き入力が成される。
第２の画像書込ステップＳ１０５では、コントローラー３６３から接続端子６、８を介して、走査線７６に選択トランジスタ４１をオフ状態とするローレベルの電位が入力され、データ線７８にハイレベル電位ＶＨ（例えば１０Ｖ）が入力される。また、接続端子７を介して共通電極３７（電位Ｖcom）にグランド電位ＧＮＤ（０Ｖ）が入力される。これにより、表示部１５０の各画素３４０が画像書き込み可能な状態とされる。
【００７９】
そして、上記の電圧印加状態に保持された表示部１５０上を図１３（ｂ）に示すように光ペン２５０で走査すると、光ペン２５０の光ＬＴを照射された画素３４０において選択トランジスタ４１にリーク電流が生じ、画素電極３５の電位が上昇する。その結果、光を照射された画素３４０が選択的に黒表示に移行され、図示のように画像を上書きすることができる。
【００８０】
その後、第２の画像保持ステップＳ１０６に移行すると、コントローラー３６３から接続端子８を介してデータ線７８にグランド電位ＧＮＤが入力され、接続端子７を介して共通電極３７にグランド電位ＧＮＤが入力される。これにより、画素３４０からなる画像についても表示状態の変化が防止され、記入された画像が保持される。
【００８１】
以上、説明したように、第２実施形態の電気泳動表示装置２００によれば、画素４０と画素３４０とが市松状に混在して配置されているので、画素４０によって表示部１５０に所望の画像を表示させるとともに、画素３４０を利用した手書き入力を行うことができる。これにより、例えば、画素４０によって添削前の文字情報などを電子的に表示させておき、その上から光ペン２５０等でチェック記号や線分などを加筆するような用途に好適に用いることができる。
【００８２】
（第３の実施形態）
次に、本発明の第３の実施形態について図１４を参照して説明する。
図１４は、第３実施形態に係る電気泳動表示装置の回路構成図である。
なお、以下で参照する各図において、先の実施形態と共通の構成要素には同一の符号を付し、それらの詳細な説明は省略する。
【００８３】
本実施形態の電気泳動表示装置３００は、電子的表示が可能な第１の表示部５Ａと光書き込みによる表示が可能な第２の表示部５Ｂとを有する表示部５を備えてなり、第１の表示部５Ａの走査線６６に接続される走査線駆動回路１６Ａと、データ線６８に接続されるデータ線駆動回路１７Ａ以外に、第２の表示部５Ｂの走査線７６に接続される走査線駆動回路１６Ｂと、データ線７８に接続されるデータ線駆動回路１７Ｂとを備えている。
【００８４】
このように、第２の表示部５Ｂにも走査線駆動回路１６Ｂ及びデータ線駆動回路１７Ｂを設けて、各走査線７６と各データ線７８に対して個別に駆動電圧波形を印加できるようにすることで、第２の表示部５Ｂにおいて電子的な表示も可能となる。
勿論、各走査線７６と各データ線７８を全体的に駆動することも可能なため、上述の光書き込みシーケンスが可能であり、必要に応じて光書き込みによる表示も可能となる。
このように、第２の表示部５Ｂに属する複数の選択トランジスタ４１Ａを個別に駆動させることができるので、手書き入力が可能な第２の表示部５Ｂにおいても必要に応じて電子的な画像表示が可能となる。
【００８５】
（第４の実施形態）
次に、本発明の第４の実施形態について図１５を参照して説明する。
図１５は、第４実施形態に係る電気泳動表示装置の回路構成図である。
なお、以下で参照する各図において、先の実施形態及びその変形例、並びに先の実施形態と共通の構成要素には同一の符号を付し、それらの詳細な説明は省略する。
【００８６】
本実施形態の電気泳動表示装置４００は、複数の画素４０と複数の画素３４０とが市松状に配置された表示部１５０を備えてなり、表示部１５０の走査線６６に接続される走査線駆動回路１６Ａとデータ線６８に接続されるデータ線駆動回路１７Ａを介して各画素４０の表示駆動がなされ、表示部１５０の走査線７６に接続される走査線駆動回路１６Ｂとデータ線７８に接続されるデータ線駆動回路１７Ｂを介して各画素３４０の表示駆動がなされる構成となっている。
【００８７】
本実施形態では、第３の実施形態とは反対に、走査線駆動回路１６Ａおよびデータ線駆動回路１７Ａを介して表示部１５０における各走査線６６及び各データ線６８を全体的に駆動することで光書き込みシーケンスが可能となり、必要に応じて電子的な表示を行う画素４０に対しても光書き込みによる表示が可能となる。
【００８８】
このように本実施形態によれば、各走査線駆動回路１６Ａ，１６Ｂ及びデータ線駆動回路１７Ａ，１７Ｂを介して表示部１５０における走査線６６，７６及びデータ線６８，７８を全体的に駆動することで、表示部１５０全体において光書き込みによる表示が可能となる。
【００８９】
なお、光書き込みによる表示が可能な第２の表示部５Ｂの構成としては、先の実施形態に限るものではなく、例えば、薄膜トランジスタに代えてダイオードを用いる構成としてもよい。
図１６に示すように、第２の表示部５Ｂの各画素３４０には、ダイオード５１と、画素電極３５と、電気泳動表示素子３２と、共通電極３７とが設けられている。ダイオード５１のアノード端子（第２の端子）は信号線５６に接続され、カソード端子（第１の端子）は画素電極３５に接続されている。
【００９０】
また、図１７に示すように、ダイオード５１として、トランジスタをダイオード接続した構成（ソース端子とゲート端子とを短絡した構成）を採用する。図示構成の場合、信号線５６と交差する方向に延びる複数の信号線５８を形成し、これらの信号線５８にダイオード５１を構成するトランジスタのソース端子が接続されている。
【００９１】
このような構成とすることで、アクティブマトリクス型液晶装置と同様の電極構造を用いることができるため、構造と簡素なものとすることができ、製造性に優れ、コスト面でも有利な構成である。また、信号線５６を介してダイオード５１に所定の電位を入力するのみで表示部５の全体を単一階調に移行させることができ、容易かつ迅速にリセット動作を実行することができる。
【００９２】
（電子機器）
次に、上記各実施形態の電気泳動表示装置１００、２００、３００、４００を、電子機器に適用した場合について説明する。
図１８は電子ペーパー１１００の構成を示す斜視図である。電子ペーパー１１００は、上記実施形態の電気泳動表示装置１００（２００、３００、４００）を表示領域１１０１に備えている。電子ペーパー１１００は可撓性を有し、従来の紙と同様の質感及び柔軟性を有する書き換え可能なシートからなる本体１１０２を備えて構成されている。
【００９３】
図１９は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００９４】
以上の電子ペーパー１１００及び電子ノート１２００によれば、本発明に係る電気泳動表示装置が採用されているので、簡素な構造で容易にリセット動作可能に構成された光書き込み型の表示手段を備えた電子機器となる。
【００９５】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置（光書き込み型表示装置）は好適に用いることができる。
【符号の説明】
【００９６】
１００，２００，３００，４００…電気泳動表示素子（電気光学装置）、３０…素子基板、３１…対向基板、５Ａ…第１の表示部、５Ｂ…第２の表示部、４０…第１の画素、３４０…第２の画素、３５Ａ，３５Ｂ…画素電極、４１…選択トランジスタ、１６…走査線駆動回路、１７…データ線駆動回路、６６，７６…走査線、６８，７８…データ線、４１ｃ…ソース電極、４１ｅ…ゲート電極、５６，５８…信号線、５１…ダイオード、５０，１５０…表示部、１１００…電子ペーパー（電子機器）、１２００…電子ノート（電子機器）
【図１】
2011107250.tif 000003
【図２】
2011107250.tif 000004
【図３】
2011107250.tif 000005
【図４】
2011107250.tif 000006
【図５】
2011107250.tif 000007
【図６】
2011107250.tif 000008
【図７】
2011107250.tif 000009
【図８】
2011107250.tif 000010
【図９】
2011107250.tif 000011
【図１０】
2011107250.tif 000012
【図１１】
2011107250.tif 000013
【図１２】
2011107250.tif 000014
【図１３】
2011107250.tif 000015
【図１４】
2011107250.tif 000016
【図１５】
2011107250.tif 000017
【図１６】
2011107250.tif 000018
【図１７】
2011107250.tif 000019
【図１８】
2011107250.tif 000020
【図１９】
2011107250.tif 000021